(57)【要約】【課題】  使用者がプッシュボタンの解錠位置と長さ調整位置とが明確に判別できない。【解決手段】  支持部材１０の側壁１０ｂに形成された開口部１０ｄから外方に突出したプッシュボタン６と、コイルスプリング７の付勢されたプッシュボタン６が、中留を錠止した状態に保持する錠止部材４と、バンドの長手方向に移動可能な移動部材９とに当接して係合する中留であって、プッシュボタン６が初期状態から支持部材１０の側壁１０ｂまで押し込む第１可動範囲において、錠止部材４とプッシュボタン６の係合が解除される。さらに、プッシュボタン６が支持部材１０の側壁１０ｂから上部切り欠け１０ｃの末端縁まで押し込む第２可動範囲において、移動部材９とプッシュボタン６との係合が解除される。このように、本発明は、プッシュボタンの解錠位置と長さ調整位置が明確に判別される中留を備えた帯状装身具を提供することができる。【選択図】    図２
2005270248.tif 000002
【特許請求の範囲】
【請求項１】
上壁と側壁とを備える支持部材と、
支持部材の側壁に形成された開口部から外方に突出するように取り付けられるプッシュボタンと、
プッシュボタンを支持部材の外方に付勢する付勢手段と、
中留を錠止した状態に保持する錠止手段を担う錠止部材と、
支持部材に配置され、バンドの一端が連結されて、支持部材に対してバンドの長手方向に移動可能な移動部材と、
を含み、
付勢手段によって付勢されたプッシュボタンが、錠止部材と、移動部材とに当接して係合する帯状装身具の中留であって、
支持部材の開口部から支持部材の上壁に連続して形成される上部切り欠けと、
プッシュボタンが初期位置から支持部材の側壁まで付勢手段に抗して押し込まれる、プッシュボタンの第１可動範囲と、
プッシュボタンが支持部材の側壁から上部切り欠けの末端縁まで付勢手段に抗して押し込まれる、プッシュボタンの第２可動範囲と、
を備え、
第１可動範囲内において、移動部材とプッシュボタンとの係合は維持されたまま、錠止部材とプッシュボタンとの係合が解除され、
第２可動範囲内において、移動部材とプッシュボタンとの係合が解除される帯状装身具の中留。
【請求項２】
上壁と側壁とを備える支持部材と、
支持部材の側壁に形成された開口部から外方に突出するように取り付けられるプッシュボタンと、
プッシュボタンを支持部材の外方に付勢する付勢手段と、
中留を錠止した状態に保持する錠止手段を担う錠止部材と、
支持部材に配置され、バンドの一端が連結されて、支持部材に対してバンドの長手方向に移動可能な移動部材と、
を含み、
付勢手段によって付勢されたプッシュボタンが、錠止部材と、移動部材とに当接して係合する帯状装身具の中留であって、
支持部材の開口部から支持部材の上壁に連続して形成される上部切り欠けと、
プッシュボタンが初期位置から支持部材の側壁まで付勢手段に抗して押し込まれる、プッシュボタンの第１可動範囲と、
プッシュボタンが支持部材の側壁から上部切り欠けの末端縁まで付勢手段に抗して押し込まれる、プッシュボタンの第２可動範囲と、
を備え、
第１可動範囲内において、錠止部材とプッシュボタンとの係合は維持されたまま、移動部材とプッシュボタンとの係合が解除され、
第２可動範囲内において、錠止部材とプッシュボタンとの係合が解除される帯状装身具の中留。
【請求項３】
請求項１、あるいは２のいずれかに記載の帯状装身具の中留であって、
一端が支持部材に回転可能に連結される中板と、
一端が中板の他端に回転可能に連結され、かつ他端に他方のバンドが回転可能に連結される下板と、
を含み、
錠止部材が下板に配置される帯状装身具の中留。
【請求項４】
請求項１から３のいずれかに記載の帯状装身具の中留であって、
プッシュボタンに形成される係合突起と、
移動部材に形成されて複数の凹部が連続する係止歯と、
を含み、
プッシュボタンの係合突起が、移動部材における係止歯の凹部の１つに挿入されて係合する帯状装身具の中留。
【請求項５】
請求項１、あるいは２のいずれかに記載の帯状装身具の中留であって、
プッシュボタンに形成され、移動部材が挿入される挿入段部を含む帯状装身具の中留。
【請求項６】
請求項５に記載の帯状装身具の中留であって、
相対して配置される２つのプッシュボタンを備え、
プッシュボタンそれぞれに形成された挿入段部が相対して、移動部材が挿入される挿入溝が構成される帯状装身具の中留。
【請求項７】
請求項５、あるいは６のいずれかに記載の帯状装身具の中留であって、
支持部材は、プッシュボタンを収納する収納部材を備え、
収納部材の開口部からプッシュボタンの挿入段部が露出する帯状装身具の中留。
【請求項８】
請求項１、あるいは２のいずれかに記載の帯状装身具の中留であって、
錠止部材は、軸部と、この軸部より外方に張り出す頭部とを含み、
プッシュボタンに形成されたフック部が、錠止部材の軸部に引っかかって係合する帯状装身具の中留。
【請求項９】
請求項１、あるいは２のいずれかに記載の帯状装身具の中留であって、
支持部材の一方の側壁に形成された開口部から外方に突出するように取り付けられる１つのプッシュボタンを備え、
プッシュボタンを支持部材の外方に付勢する付勢手段として、１つの板バネを配設したことを特徴とする帯状装身具の中留。
【請求項１０】
請求項１から９のいずれかに記載の中留を備える帯状装身具。
【発明の詳細な説明】
【技術分野】
【０００１】
本発明は、たとえばブレスレットや腕時計などのように、身体に巻回されて装着される帯状装身具、およびそれに用いられる中留に関する。
【背景技術】
【０００２】
身体に巻回される帯状装身具には、様々な中留が用いられる。たとえば、帯状装身具の１つである腕時計では、二つ折れ中留、三つ折れ中留、あるいは観音開き中留のような折り畳み型の中留が多用される。そして、このような折り畳み型中留において、中留を錠止した状態に保持する錠止手段と、バンドの長さを調整するバンド長さ手段双方が、プッシュボタンと協働する装置はすでに知られている（たとえば、特許文献１参照）。
この中留のおおまかな構造は、図１６から図２０に示される。
【０００３】
これらの図によれば、この三つ折れ中留は、略Ｕ字型を成して、下方に開口する枠体である支持部材３０を備える。詳しくは、この支持部材３０は、上壁３０ａと、この上壁３０ａからバンドの幅方向に対向するように垂下する２つの側壁３０ｂとを備える。この２つの側壁３０ｂに相対して開口部３０ｃが穿設される。
この開口部３０ｃそれぞれから支持部材３０の外方に突出するように、かつバンドの幅方向に滑動できるように、プッシュボタン３１が支持部材３０に取り付けられる。
【０００４】
プッシュボタン３１それぞれの内端は、支持部材３０の内側に位置して、鉤状に屈曲されたフック部３１ａとされる。プッシュボタン３１それぞれの外端は、支持部材３０の開口部３０ｃより外方に突出し、指で押圧可能な押し部３１ｂが形成される。
これらプッシュボタン３１の間には、付勢手段である２つのコイルスプリング３２が配置される。これらコイルスプリング３２により、プッシュボタン３１それぞれは、バンドの幅方向に沿って支持部材３０の外方に付勢される。
プッシュボタン３１それぞれは、支持部材３０の側壁３０ｂの内側に当接する抜け止め段部３１ｃを備える。この抜け止め段部３１ｃにより、付勢されたプッシュボタン３１それぞれが、支持部材３０より抜脱することが抑止される。
ここで、内外とは、支持部材に対する内外を言う。また、これらの図でプッシュボタンを支持部材に保持する手段は省略される。
【０００５】
また、この中留は、支持部材３０の内側であって、２つのプッシュボタン３１の上方に位置する移動部材３３を備える。この移動部材３３の一端は、一方のバンド３４の一端に連結される。この移動部材３３は、支持部材３０に対してバンドの長手方向に沿って、一方のバンド３４と共に移動できる。
移動部材３３は、上下に貫通した貫通部３３ａを備える。その貫通部３３ａにおける縁部に、バンドの幅方向に相対して、係止歯３３ｂが形成される。この係止歯３３ｂは、バンドの長手方向に沿って連続する複数の凹部３３ｃを備える。
【０００６】
プッシュボタン３１それぞれの上面から、支持部材３０の内側に位置して、係合突起３５が上方に突出する。これらの係合突起３５が、移動部材３３の貫通部３３ａに挿通される。コイルスプリング３２で付勢されたプッシュボタン３１の係合突起３５それぞれは、係止歯３３ｂの１つの凹部３３ｃに挿入される。よって、移動部材３３の移動が規制される。
このようにプッシュボタン３１と移動部材３３とが協働して、帯状装身具のバンドの長さを調整するバンド長さ調整手段を構成する。
なお、ここで上下とは、図１６と１７の上下方向に準ずる。
【０００７】
支持部材３０に、中板３６の一端が回転可能に連結される。この中板３６の他端に、下板３７の一端が回転可能に連結される。さらに下板３７の他端に、他方のバンド３８が回転可能に連結される。
下板３７の上面から、錠止部材３９が突出する。この錠止部材３９は、下板３７取り付けられる軸部３９ａを含む。この軸部３９ａの開放端に、軸部３９ａの径方向に沿って軸部３９ａより外方に張り出す頭部３９ｂが形成される。
【０００８】
図１６に示される状態から、下板３７と中板３６とを支持部材３０に折り畳んで、中留を閉じた状態においては、この錠止部材３９は、中板３６に形成された貫通孔３６ａを通って、支持部材３０の内側に挿入される。そして、図１７に示すように、プッシュボタン３１のフック部３１ａが、錠止部材３９の軸部３９ａに引っかかって係合する。これにより、中留が錠止された状態に保持される。このように、プッシュボタン３１と錠止部材３９とが協働して、錠止手段を構成する。
【０００９】
まず、中留が錠止された状態において、使用者が、中留を解錠するには、図１８に示す初期位置にあるプッシュボタン３１をコイルスプリング３２の付勢に抗して、支持部材３０の内側に押し込む。ここで初期位置とは、支持部材３０に対して意図的に押し込まれていない、プッシュボタン３１の位置を言う。
【００１０】
図１９に示すように、プッシュボタン３１を少し押し込むと、プッシュボタン３１のフック部３１ａが錠止部材３９の軸部３９ａから離間して、プッシュボタン３１と錠止部材３９との係合が外れる。すると、支持部材３０に対して、中板３６と下板３７とは再び拡開できるようになる。この状態において、フック部３１ａと共に移動したプッシュボタン３１の係合突起３５は、移動部材３３における係止歯３３ｂの凹部３３ｃから完全に脱出してはいない。プッシュボタン３１の係合突起３５の一部は、なお凹部３３ｃ内に位置する。よって、移動部材３３は、プッシュボタン３１の係合突起３５との干渉によって、移動できない状態に維持される。
【００１１】
次いで、使用者が、バンドの長さを調整するには、図１９に示される状態から、プッシュボタン３１をコイルスプリング３２の付勢に抗して、さらに支持部材３０の内側に押し込む。図２０に示されるように、プッシュボタン３１の押し部３１ｂの外端が、支持部材３０の側壁３０ｂの外面とほぼ同一平面になる位置まで、プッシュボタン３１は支持部材３０に押し込まれる。これ以上、プッシュボタン３１を内方に押し込むことはできない。
すると、プッシュボタン３１の係合突起３５は、移動部材３３における係止歯３３ｂの凹部３３ｃから完全に離間する。よって、プッシュボタン３１と移動部材３３との係合が外れて、移動部材３３は、支持部材３０に対してバンドの長手方向に沿って移動できるようになる。
【００１２】
そして、使用者は、一方のバンド、あるいは移動部材３３を持って、移動部材３３を移動させる。使用者が、移動部材３３を支持部材３０から引き出せば、帯状装身具、たとえば腕時計が成す輪の周長が長くなる。逆に、使用者が、移動部材３３を支持部材３０に没入させれば、腕時計の周長は短くなる。
【００１３】
使用者は、このようにして長さ調整をした後、プッシュボタン３１から指を離す。すると、コイルスプリング３２の付勢によってプッシュボタン３１が再び初期位置に復帰する。初期位置に復帰したプッシュボタン３１の係合突起３５は、移動部材３３における係止歯３３ｂの凹部３３ｃの１つに再び挿入される。よって、移動部材３３は、プッシュボタン３１に引っかかって、再び移動できなくなる。
ここで、中留が折り畳まれて閉じた状態にあれば、初期位置に復帰したプッシュボタン
３１のフック部３１ａが錠止部材３９に引っかかる。よって、中留が再び錠止された状態に保持される。
【００１４】
上記した従来例の構成では、１組のプッシュボタンを操作するだけで、中留の施錠と解錠、およびバンドの長さ調整ができるという利点があった。即ち、わずかに押し込んだプッシュボタンの位置が、プッシュボタンと錠止部材との係合が外れる解錠位置であり、さらに押し込んだプッシュボタンの位置が、プッシュボタンと移動部材との係合が外れる長さ調整位置である。プッシュボタンは、そのストロークの中に設定された解錠位置と長さ調整位置に位置できる。
【００１５】
【特許文献１】特開平８−３０８６１８号公報（第１〜２０頁、第１〜３５図）
【発明の開示】
【発明が解決しようとする課題】
【００１６】
しかしながら、前述した従来の中留においては、使用者は、プッシュボタンをどこまで押し込めばプッシュボタンが解錠位置に達し、プッシュボタンをどこまで押し込めば長さ調整位置に達するのかを判別することが難しかった。使用者が、中留の解錠のみをしようとしても、プッシュボタンを押し込みすぎれば、プッシュボタンは長さ調整位置に達してしまう。すると、使用者の意図に反して、移動部材が移動して、帯状装身具、たとえば腕時計が成す輪が緩んでしまった。このような場合、使用者は、再び移動部材を移動させて長さ調整しなければならなかった。
【００１７】
本発明は、上述の欠点を解消するものであり、本発明の目的は、錠止手段と、バンドの長さを調整するバンド長さ手段双方がプッシュボタンと協働する中留において、プッシュボタンの解錠位置と長さ調整位置とが明確に判別される中留を提供することである。さらに、その中留を備える帯状装身具を提供することである。
【課題を解決するための手段】
【００１８】
上記目的を達成するため、本発明における帯状装身具の中留は、特許請求の範囲における請求項１に記載された通り、
「上壁と側壁とを備える支持部材と、
支持部材の側壁に形成された開口部から外方に突出するように取り付けられるプッシュボタンと、
プッシュボタンを支持部材の外方に付勢する付勢手段と、
中留を錠止した状態に保持する錠止手段を担う錠止部材と、
支持部材に配置され、バンドの一端が連結されて、支持部材に対してバンドの長手方向に移動可能な移動部材と、
を含み、
付勢手段によって付勢されたプッシュボタンが、錠止部材と、移動部材とに当接して係合する帯状装身具の中留であって、
支持部材の開口部から支持部材の上壁に連続して形成される上部切り欠けと、
プッシュボタンが初期位置から支持部材の側壁まで付勢手段に抗して押し込まれる、プッシュボタンの第１可動範囲と、
プッシュボタンが支持部材の側壁から上部切り欠けの末端縁まで付勢手段に抗して押し込まれる、プッシュボタンの第２可動範囲と、
を備え、
第１可動範囲内において、移動部材とプッシュボタンとの係合は維持されたまま、錠止部材とプッシュボタンとの係合が解除され、
第２可動範囲内において、移動部材とプッシュボタンとの係合が解除される」
ものである。
【００１９】
これにより、まず、使用者は、初期位置に位置するプッシュボタンを支持部材の側壁まで押し込めば、錠止部材とプッシュボタンとの係合が解除される。よって、中留が解錠される。使用者は、自分の指が支持部材の側壁の外面に接するまで、プッシュボタンを押し込めばよい。プッシュボタンが第１可動範囲内に位置する状態では、移動部材とプッシュボタンとの係合は維持され、移動部材の移動は規制されている。このプッシュボタンの解錠位置は、第１可動範囲内における、どの位置に設定されてもよい。
【００２０】
次いで、使用者が、たとえば指の先端を使って、さらに上部切り欠けの内部までプッシュボタンを押し込めば、移動部材とプッシュボタンとの係合が解除される。すると、移動部材が支持部材に対して移動できるようになるので、使用者はバンドの長さ調整をすることができる。使用者は、上部切り欠けの末端縁までプッシュボタンを押し込むことができる。
【００２１】
使用者にとって、自分の指が支持部材の側壁の外面に接するまでプッシュボタンを押し込む操作と、さらに上部切り欠けの内部までプッシュボタンを押し込む操作とは、容易に判別される。このように、本発明の中留は、使用者にとって、プッシュボタンの解錠位置と長さ調整位置とが明確に判別される。
【００２２】
プッシュボタンの長さ調整位置は、第２可動範囲内におけるどの位置に設定されてもよい。しかしながら、長さ調整位置は、第２可動範囲内における支持部材の側壁近傍に設けられることが好ましい。すると、使用者は、上部切り欠けの内部にプッシュボタンをわずかに押し込めば、長さ調整できるようになる。使用者は、長さ調整するために、プッシュボタンを上部切り欠けの末端縁まで押し込む必要がなくなる。よって、さらに中留の操作が容易になる。
【００２３】
また、上記目的を達成するため、本発明における帯状装身具の中留は、請求項２に記載された通り、
「第１可動範囲内において、錠止部材とプッシュボタンとの係合は維持されたまま、移動部材とプッシュボタンとの係合が解除され、
第２可動範囲内において、錠止部材とプッシュボタンとの係合が解除される」
ものとすることができる。
【００２４】
後述の実施例において明らかになるように、プッシュボタンの可動範囲に対して、解錠位置と長さ調整位置を入れ換えることができる。たとえば、解錠位置は、プッシュボタンのフック部と錠止部材との相対的な位置関係で決定され、長さ調整位置は、プッシュボタンの係合突起と移動部材の係止歯との相対的な位置関係で決定される。これらの位置関係を調整すれば、プッシュボタンの第１可動範囲内に長さ調整位置が設定され、かつプッシュボタンの第２可動範囲内に解錠位置が設定される。ただし、この場合、プッシュボタンが第１可動範囲内に位置する状態では、プッシュボタンと錠止部材との係合は維持されるように設定される。
【００２５】
また、本発明の帯状装身具の中留は、
「一端が支持部材に回転可能に連結される中板と、一端が中板の他端に回転可能に連結され、かつ他端に他方のバンドが回転可能に連結される下板と、を含み、錠止部材が下板に配置される」
ものであってもよい。
この場合、本発明の中留は三つ折れ中留の形態となる。
【００２６】
また、本発明の帯状装身具の中留は、
「プッシュボタンに形成される係合突起と、移動部材に形成されて複数の凹部が連続する係止歯と、を含み、プッシュボタンの係合突起が、移動部材における係止歯の凹部の１つに挿入されて係合する」
ものであってもよい。
【００２７】
また、本発明の帯状装身具の中留は、
「プッシュボタンに形成され、移動部材が挿入される挿入段部を含む」
ことが好ましい。
このように、プッシュボタンの挿入段部に移動部材が挿入されれば、中留の上下方向の厚みを薄くすることができる。よって、優れた美感を呈する中留が提供される。さらに、挿入段部に案内されて、移動する移動部材の蛇行が抑止されるので、長さ調整操作がさらに容易になる。
【００２８】
また、本発明の帯状装身具の中留は、
「相対して配置される２つのプッシュボタンを備え、プッシュボタンそれぞれに形成された挿入段部が相対して、移動部材が挿入される挿入溝が構成される」
ことが好ましい。
このように、プッシュボタンの挿入溝に移動部材が挿入されれば、中留の上下方向の厚みを薄くすることができる。よって、優れた美感を呈する中留が提供される。さらに、挿入溝に案内されて、移動する移動部材の蛇行が抑止されるので、長さ調整操作がさらに容易になる。
【００２９】
また、本発明の帯状装身具の中留は、
「支持部材は、プッシュボタンを収納する収納部材を備え、収納部材の開口部からプッシュボタンの挿入段部が露出する」
ことが好ましい。
これにより、収納部材を備えても、プッシュボタンの挿入溝に移動部材が確実に挿入される。
【００３０】
さらに、本発明の中留における錠止部材は、
「軸部と、この軸部より外方に張り出す頭部とを含み、プッシュボタンに形成されたフック部が、錠止部材の軸部に引っかかって係合する」
ものであってもよい。
【００３１】
また、本発明の帯状装身具の中留は、
「支持部材の一方の側壁に形成された開口部から外方に突出するように取付けられる１つのプッシュボタンを備え、プッシュボタンを支持部材の外方に付勢する付勢手段として、１つの板バネを配設する」
ものであってもよい。
これにより、プッシュボタンの解錠位置と長さ調整位置とが明確に判別され、部材点数、組立工数が減少し、安価な中留が可能である。
【発明の効果】
【００３２】
以上、説明したごとく、本発明は、プッシュボタンの解錠位置と長さ調整位置とが明確に判別される中留を提供することができる。さらに、その中留を備える帯状装身具を提供することができる。
【発明を実施するための最良の形態】
【００３３】
以下、本発明の最良の実施形態について説明するが、本発明は、これらの実施形態によ
り何ら限定されるものではない。
【実施例１】
【００３４】
図１〜図１３は、本発明の帯状装身具およびその中留構造の実施例１に係わる。まず、図１〜図６で中留構造の構成について説明する。
図１は、中留構造を示す全体斜視図、
図２は、図１の分解斜視図、
図３は、収納部材の組立図、
図４は、収納部材と移動部材の組立図、
図５は、図４に支持部材を組み込む組立図、
図６は、収納部材、移動部材、支持部材を組込んだ状態の組立図である。
【００３５】
図１および図２によれば、携帯装身具の一つである腕時計では、図示しない腕時計ケースの一方のバンド取り付け部に連結される一方のバンド１と、腕時計ケースの他方のバンド取り付け部に連結される他方のバンド２と、一方のバンド１と他方のバンド２の間に配置される三つ折れ中留機構を含む。
この中留機構は、折り畳み可能な支持部材１０、中板３、および下板５を含む。一方のバンド１の一端が、移動部材９の一端に連結される。移動部材９は、後述するように、支持部材１０にバンドの長手方向に沿って移動可能に支持される。移動部材９は、支持部材１０の一端から出没できる。
【００３６】
支持部材１０の他端に、中板３の一端が回転可能に連結される。中板３の他端に、下板５の一端が回転可能に連結される。下板５の他端は、他方のバンド２の一端に回転可能に連結される。
下板５の上面から、錠止部材４が突出する。この錠止部材４は、下板５に取り付けられる軸部４ａを含む。この軸部４ａの開放端に、軸部４ａの径方向に沿って軸部４ａより外方に張り出す頭部４ｂが形成される。
中板３には、この錠止部材４が通過する、上下方向に貫通された貫通孔３ａが形成される。
【００３７】
中留機構は、バンドの幅方向に沿って移動可能に支持部材１０に取り付けられるプッシュボタン６と、プッシュボタン６を支持部材１０の外方に付勢する付勢手段であるコイルスプリング７を含む。後述するように、プッシュボタン６とコイルスプリング７とは、収納部材８に収納されて、支持部材１０に取り付けられる。
【００３８】
中留を折り畳んで閉じた状態において、コイルスプリング７に付勢されたプッシュボタン６が、中板３の貫通孔３ａを通過した下板５の錠止部材４と当接して係合する。このように、プッシュボタン６と錠止部材４が協働して、中留を折り畳んで閉じた状態で錠止する錠止手段を構成する。
また、コイルスプリング７に付勢されたプッシュボタン６が、一方のバンド１に連結された移動部材９と当接して係合する。このように、プッシュボタン６と移動部材９が協働して、バンド長さ調整手段を構成する。
【００３９】
図３〜図６が、この中留機構の詳細を図示する。
まず、図３に示されるように、収納部材８が用意される。収納部材８は、上方に開口する枠体として図示される。
収納部材８の略中央部に、下板５に突植された錠止部材４が挿通する貫通孔８ａが形成される。収納部材８の両端が内側に巻管されて、一対の連結部８ｂが形成される。一対の連結部８ｂは、バンドの長手方向に沿って相対する。この連結部８ｂそれぞれに、連結部材１１が挿入される。連結部材１１としては、たとえばバネ棒が採用される。
【００４０】
収納部材８に形成された一対の連結部８ｂの間には、一対のプッシュボタン６が配置される。プッシュボタン６それぞれに形成された挿入段部６ａが、バンドの幅方向に沿って相対して、移動部材９が挿入される挿入溝が構成される。この挿入溝は、収納部材８における上方に開いた開口部から外方に露出する。
プッシュボタン６それぞれの内端には、鉤状に屈曲されたフック部６ｂが形成される。プッシュボタン６それぞれの外端には、指で押圧可能な押し部６ｃが形成される。
さらに、プッシュボタン６それぞれは、抜け止め段部６ｄを備える。押し部６ｃは、抜け止め段部６ｄから外方に延出する。
【００４１】
これらプッシュボタン６の間には、付勢手段である２つのコイルスプリング７が配置される。２つのコイルスプリング７により、プッシュボタン６それぞれは、バンド幅方向に沿って外方に付勢される。
また、プッシュボタン６それぞれの上面から、係合突起１２それぞれが上方に向けて突設される。
【００４２】
図４に示されるように、一方のバンド１の一端が、バンド長手方向に移動可能な移動部材９に、バネ棒１１で連結される。移動部材９は、上下に貫通する貫通部９ａを備える。この貫通部９ａにおける、バンド幅方向に相対する両縁部それぞれに、係止歯９ｂが形成される。係止歯９ｂは、バンドの長手方向に沿って連続する複数の凹部９ｃを備える。
相対するプッシュボタン６の挿入段部６ａが組み合わされて成る挿入溝の内部に、移動部材９が置かれる。プッシュボタン６の係合突起１２は、移動部材９の貫通部９ａ内に挿入される。そして、コイルスプリング７によって付勢されたプッシュボタン６の係合突起１２は、係止歯９ｂにおける凹部９ｃの１つに挿入される。
【００４３】
図５に示されるように、支持部材１０は、上壁１０ａと、この上壁１０ａからバンドの幅方向に対向するように垂下する２つの側壁１０ｂとを備える。この２つの側壁１０ｂに相対するように開口部１０ｄが穿設される。また、おおよそＵ字型に切り欠けられた上部切り欠け１０ｃが、バンドの幅方向に相対するように、上壁１０ａに形成される。この上部切り欠け１０ｃそれぞれは、側壁１０ｂの開口部１０ｄそれぞれに連続して開口するように形成される。
【００４４】
収納部材８の連結部８ｂに挿入された連結部材１１それぞれの両端が、支持部材１０の側壁１０ｂに穿設された孔に挿入される。よって、プッシュボタン６を納める収納部材８が、支持部材１０の内側に支持される。
プッシュボタン６の係合突起１０は支持部材１０の内側に位置する。移動部材９は、プッシュボタン６の上面と支持部材１０の上壁１０ａの下面との間に挟持される。これにより、移動部材９は、プッシュボタン６の係合突起１０から抜脱しないように、上下方向に沿った動きを規制される。
【００４５】
１組のプッシュボタン６それぞれの押し部６ｃが、支持部材１０の開口部１０ｄそれぞれから、支持部材１０の外方に突出する。プッシュボタン６それぞれの抜け止め段部６ｄが、支持部材１０の側壁１０ｂの内側に当接する。よって、コイルスプリング７によって付勢されたプッシュボタン６それぞれが、支持部材１０の外方に抜脱されることが抑止される。
図６に示されるように、プッシュボタン６それぞれの押し部６ｃの上面は、支持部材１０の上部切り欠け１０ｃそれぞれから露出する。支持部材１０における開口部１０ｄと上部切り欠け１０ｃとは、側壁１０ｂから上壁１０ａにわたって逆Ｌ字型に開口する開口部を形成する。
【００４６】
これらの図から理解されるように、プッシュボタン６それぞれは、コイルスプリング７の付勢に抗して支持部材１０の内方に向けて移動できる。ここで、プッシュボタン６の押し部６ｃの外端面が、初期位置から支持部材１０の側壁１０ｂと同一平面を成す位置までのプッシュボタン６の移動範囲が、第１可動範囲とされる。さらに、プッシュボタン６の押し部６ｃの外端面が、支持部材１０の側壁１０ｂと同一平面を成す位置から、上部切り欠き１０ｃの末端の内縁まで位置するまでのプッシュボタン６の移動範囲が、第２可動範囲とされる。
【００４７】
以上述べた構成の中留構造の動作について図７から図１３に基づいて説明する。
図７と図８は、初期状態、即ち、中留が錠止された状態を示す断面図と平面図、
図９と図１０は、プッシュボタンが解錠位置に達した状態を示す断面図と平面図、
図１１と図１２は、プッシュボタンが長さ調整位置に達した状態を示す断面図と平面図、図１３は、図１２の位置から移動部材がバンド長手方向に移動した状態を示す平面図である。
【００４８】
図７と図８は、中留が折り畳まれて錠止された状態を示す。この状態では、プッシュボタン６は初期位置に位置する。
使用者が中留の施錠を解除するには、プッシュボタン６の押し部６ｃをコイルスプリング７の付勢に抗して支持部材１０の内側に押し込む。使用者の指先は、支持部材１０の側壁１０ｂに当接してそれ以上は押し込めない。
このプッシュボタン６の第１可動範囲内で、プッシュボタン６は、その範囲内に設定された解錠位置を通過する、あるいは解錠位置に達する。
すなわち、プッシュボタン６のフック部６ｂが錠止部材４の軸部４ａから離間して、プッシュボタン６と錠止部材４との係合が外れる。すると、支持部材１０に対して、中板３と下板５とは再び拡開できるようになる。
【００４９】
このプッシュボタン６の第１可動範囲内においては、プッシュボタン６の係合突起１２は、移動部材９に形成された係止歯９ｂの凹部９ｃの１つから完全に抜脱されていない。係合突起１２の少なくとも一部は、なお凹部９ｃ内に挿入された位置に留まる。
この状態においては、移動部材９はプッシュボタン６の係合突起１２との干渉によって、移動できない状態に維持される。
【００５０】
次に、バンドの長さを調整するには、図１１および図１２に示すように、プッシュボタンの押し部６ｃを支持部材１０の側壁１０ｂから上部切り欠け１０ｃの末端縁まで、コイルスプリング７の付勢に抗して押し込む。
このプッシュボタン６の第２可動範囲において、プッシュボタン６の係合突起１２は、その範囲内に設定された長さ調整位置を通過する、あるいは長さ調整位置に達する。
すると、移動部材９に形成された係止歯９ｂの凹部９ｃから完全に離間する。よって、プッシュボタン６と移動部材９との係合が外れて、移動部材９は支持部材１０に対してバンドの長手方向に沿って移動できる状態になる。
【００５１】
図１３は、図１２の状態において、係止歯９ｂを１歯分、すなわち凹部９ｃ１つ分だけ移動部材９を移動させて、バンド長さを長く調整した状態を示す。
使用者は、一方のバンド１、あるいは移動部材９を持って、移動部材９を支持部材１０から引き出したり、没入させたりして移動させることにより、帯状装身具、例えば腕時計のバンドの長さを所望の長さに容易に調整することができる。
【００５２】
使用者は所望の長さに調整した、図１３の状態で、プッシュボタン６から指を離すと、コイルスプリング７の付勢力によって、プッシュボタン６は再び初期状態の位置に復帰する。初期状態に復帰したプッシュボタン６の係合突起１２は、移動部材９における係止歯
９ｂの凹部９ｃの１つに再び挿入される。すると、移動部材９はプッシュボタン６に引っかかり、移動できなくなる。ここで、中留を折り畳まれて閉じた状態にあれば、初期状態に復帰したプッシュボタン６のフック部６ｂが錠止部材４に引っかかる。従って、中留は再び錠止された状態に保持される。
【実施例２】
【００５３】
図１４は、本発明の帯状装身具およびその中留構造の実施例２を示す。
実施例２における中留の主要部の構成は、上記した実施例１と同様であるので、実施例１と同じ部品には、実施例１と同一符号を付して、その説明は省略する。
【００５４】
初期状態から、先ず、使用者がバンドの長さを調整するには、プッシュボタン６の押し部６ｃをコイルスプリング７の付勢に抗して支持部材１０の内側に押し込む。使用者の指先は、支持部材１０の側壁１０ｂに当接してそれ以上は押し込めない。このプッシュボタン６の第１可動範囲内では、プッシュボタン６は、その範囲内に設定された長さ調整位置を通過する、あるいは長さ調整位置に達する。よって、錠止部材４とプッシュボタン６の係合が維持されたまま、移動部材９に形成された係止歯９ｂの凹部９ｃの１つに挿入されたプッシュボタン６の係合突起１２の係合が解除され、移動部材９は支持部材１０に対してバンドの長手方向に沿って移動できる状態になる。
錠止部材４とプッシュボタン６の係合が維持されるので、支持部材１０に対して、中板３と下板５とは閉じた状態に保持される。
【００５５】
次に、中留を解除するには、プッシュボタン６の押し部６ｃを支持部材１０の側壁１０ｂから上部切り欠け１０ｃの末端縁まで、コイルスプリング６の付勢に抗して押しこむ。このプッシュボタン６の第２可動範囲において、プッシュボタン６は、その範囲内に設定された解錠位置を通過する、あるいは解錠位置に達する。よって、プッシュボタン６のフック部６ｂが錠止部材４の軸部４ａから離間して、プッシュボタン６と錠止部材４との係合が外れる。すると、支持部材１０に対して、中板３と下板５とは再び拡開できるようになる。
【実施例３】
【００５６】
図１５は、本発明の帯状装身具およびその中留構造の実施例３に係わり、初期状態を示す平面図である。
図１５において、上記した実施例１と異なるところは、実施例１では２個のプッシュボタン６使用していたが、プッシュボタン６を１個にし、付勢手段として、２個のコイルスプリング７の代わりに、１個のＺ形状の板バネ７Ａを配設したものである。
【００５７】
図１５に示す初期状態においては、板バネ７Ａで付勢されたプッシュボタン６の係合突起１２は、移動部材９に形成された係止歯９ｂの凹部９ｃの１つに挿入され、プッシュボタン６のフック部６ｂが錠止部材４の軸部４ａに係合されている。
【００５８】
先ず、使用者が中留を解除するには、プッシュボタン６の押し部６ｃを板バネ７Ａの付勢に抗して支持部材１０の内側に押し込む。
このプッシュボタン６の第１可動範囲内では、移動部材９に形成された係止歯９ｂの凹部９ｃの１つに挿入されたプッシュボタン６の係合突起１２が係合して、係合が維持されたままで、プッシュボタン６のフック部６ｂが錠止部材４の軸部４ａから離間して、プッシュボタン６と錠止部材４との係合が外れる。中板３と下板５とは再び拡開できるようになる。
この状態では、移動部材９はプッシュボタン６の係合突起１２との干渉によって、移動できない状態に維持される。
【００５９】
次に、バンドの長さを調整するには、プッシュボタンの押し部６aを支持部材１０の側壁１０ｂから上部切り欠け１０ｃの末端縁まで、板バネ７Ａの付勢に抗して押しこむ。このプッシュボタン６の第２可動範囲において、プッシュボタン６の係合突起７は、移動部材９に形成された係止歯９ｂの凹部９ｃから完全に離間する。よって、プッシュボタン６と移動部材９との係合が外れて、移動部材９は支持部材１０に対してバンドの長手方向に沿って移動できる状態になる。
【００６０】
使用者は、一方のバンド１、あるいは移動部材９を持って、移動部材９を支持部材１０から引き出したり、没入させたりして移動させることにより、帯状装身具、例えば腕時計のバンドの長さを所望の長さに容易に調整することができる。
使用者は所望の長さに調整した後、プッシュボタン６から指を離すと、板バネ７Ａの付勢力によって、プッシュボタン６は再び初期状態の位置に復帰する。
上記した実施例３の中留構造は、部材点数を減少した分、部材および組立工数が少なくなるので、組み立てコストや製造コストを低減させることが可能である。
【００６１】
上記した実施例３において、前述した実施例２と同様に、プッシュボタンに形成されたフック部と、係合突起の位置関係が調整されることによって、プッシュボタンの第１可動範囲において、錠止部材とプッシュボタンとの係合は維持されたまま、移動部材とプッシュボタンとの係合が解除され、プッシュボタンの第２可動範囲において、錠止部材とプッシュボタンとの係合は解除される設定が採用されてもよい。
【図面の簡単な説明】
【００６２】
【図１】本発明の実施例に係わる中留構造を示す全体斜視図である。
【図２】図１の分解斜視図である。
【図３】図２の収納部材の組立図である。
【図４】図２の収納部材と移動部材の組立図である。
【図５】図４に支持部材を組み込む組立図である。
【図６】図５の完成組立図である。
【図７】本発明の実施例１に係わる中留構造の初期状態を示す断面図である。
【図８】図７の平面図である。
【図９】図７のプッシュボタンが解錠位置に達した状態を示す断面図である。
【図１０】図９の平面図である。
【図１１】図７のプッシュボタンが長さ調整位置に達した状態を示す断面図である。
【図１２】図１１の平面図である。
【図１３】図１２の位置から移動部材がバンド長手方向に移動して、長さ調整位置を示す平面図である。
【図１４】本発明の実施例２に係わる中留構造における、プッシュボタンが長さ調整位置に達した状態を示す平面図である
【図１５】本発明の実施例３に係わる中留構造の初期状態を示す平面図である。
【図１６】従来技術の中留構造を示す全体斜視図である。
【図１７】図１６の移動部材にプッシュボタンを組込んだ状態の組立図である。
【図１８】図１６の中留構造の初期状態を示す平面図である。
【図１９】図１６のプッシュボタンが解錠位置に達した状態を示す平面図である。
【図２０】図１６のプッシュボタンが長さ調整位置に達した状態を示す平面図である。
【符号の説明】
【００６３】
１  一方のバンド
２  他方のバンド
３  中板
４  錠止部材
４ａ  軸部
４ｂ  頭部
５  下板
６  プッシュボタン
６ａ  挿入段部
６ｂ  フック部
６ｃ  押し部
７  コイルスプリング
７Ａ  板バネ
８  収納部材
９  移動部材
９ｂ  係止歯
９ｃ  凹部
１０  支持部材
１０ａ  上壁
１０ｂ  側壁
１０ｃ  上部切り欠け
１０ｄ  開口部
１２  係合突起
【図１】
2005270248.tif 000003
【図２】
2005270248.tif 000004
【図３】
2005270248.tif 000005
【図４】
2005270248.tif 000006
【図５】
2005270248.tif 000007
【図６】
2005270248.tif 000008
【図７】
2005270248.tif 000009
【図８】
2005270248.tif 000010
【図９】
2005270248.tif 000011
【図１０】
2005270248.tif 000012
【図１１】
2005270248.tif 000013
【図１２】
2005270248.tif 000014
【図１３】
2005270248.tif 000015
【図１４】
2005270248.tif 000016
【図１５】
2005270248.tif 000017
【図１６】
2005270248.tif 000018
【図１７】
2005270248.tif 000019
【図１８】
2005270248.tif 000020
【図１９】
2005270248.tif 000021
【図２０】
2005270248.tif 000022